(57)【要約】【課題】  集中配管方式の除糠システムを採用した場合において、任意の一台の精穀装置に対する除糠吸引風を遮断したときに他の精穀装置に悪影響が出るのを防止する。【解決手段】  堅型精米装置１０の研削式精米処理部２４及び摩擦式精米処理部６８には、除糠吸引風によって糠を除去するための除糠ダクト９０及び除糠分岐ダクト９２が接続されている。除糠ダクト９０には、ダクトを開閉する吸引遮断板９８及び二次空気取入口１０２を開閉する二次空気遮断板１０４を含む除糠吸引風遮断装置９４が接続されている。従って、精米処理終了時には、吸引遮断板９８を閉止して二次空気遮断板１０４を開放させることにより、各精米処理部２４、６８に残粒が生じるのを防止することができ、品質を確保できる。また、複数の竪型精米装置１０を並設して集中配管方式で除糠するシステム下において、任意の竪型精米装置１０の除糠吸引風を遮断しても二次空気取入口１０２より外気が吸い込まれるので、他の竪型精米装置に悪影響が出ることもない。【選択図】        図１
2005144401.tif 000002
【特許請求の範囲】
【請求項１】
穀粒表面の糠層を取り除く精穀処理部と、
この精穀処理部に一端部が接続されると共に吸引用の集中配管から分岐された分岐配管が他端部に接続され、吸引力によって吸い込まれた糠が通過する除糠ダクトと、
を含んで構成された精穀装置に適用される除糠吸引風遮断装置であって、
前記除糠ダクトと前記分岐配管との間に介在されて除糠ダクトと分岐配管とを接続すると共に、所定位置に外気と連通する二次空気取入口が形成された接続ダクトと、
この接続ダクトの除糠ダクト側の端部から二次空気取入口までの所定位置に設けられ、除糠吸引風の風路を開閉可能な第１の開閉弁と、
この第１の開閉弁を開閉させる第１の駆動手段と、
前記二次空気取入口に設けられ、当該二次空気取入口を開閉可能な第２の開閉弁と、
この第２の開閉弁を開閉させる第２の駆動手段と、
を有することを特徴とする精穀装置用除糠吸引風遮断装置。
【請求項２】
穀粒表面の糠層を取り除く精穀処理部と、
この精穀処理部に一端部が接続されると共に吸引用の集中配管から分岐された分岐配管が他端部に接続され、吸引力によって吸い込まれた糠が通過する除糠ダクトと、
を含んで構成された精穀装置であって、
前記除糠ダクトに一端部が接続されると共に他端部に前記分岐配管が接続され、更に所定位置に外気と連通する二次空気取入口が形成された接続ダクトと、
この接続ダクトの除糠ダクト側の端部から二次空気取入口までの所定位置に設けられ、除糠吸引風の風路を開閉可能な第１の開閉弁と、
この第１の開閉弁を開閉させる第１の駆動手段と、
前記二次空気取入口に設けられ、当該二次空気取入口を開閉可能な第２の開閉弁と、
この第２の開閉弁を開閉させる第２の駆動手段と、
を有する除糠吸引風遮断装置を備えている、
ことを特徴とする精穀装置。
【請求項３】
原料又は精穀処理後の穀粒が投入されると共に原料又は精穀処理後の穀粒の有無を検出する検出センサを備えた原料タンクと、
この原料タンクの供給口を開閉するシャッタと、
原料タンクから供給された原料を研削精穀する研削式精穀処理部と、
この研削式精穀処理部で処理された穀粒を摩擦精穀する摩擦式精穀処理部と、
この摩擦式精穀処理部で処理された穀粒を装置外へ排出する排出手段と、
この排出手段から排出された精穀処理後の穀粒が入口部から投入されると共に揚穀し、切換弁により循環路を介して原料タンクへ循環させるか又は排出路を介して装置外の所定位置へ排出させるかを選択的に切換えられる揚穀装置と、
研削式精穀処理部へ空気を送給し、研削精穀室内に残った残粒を摩擦精穀室へ強制的に送り込む残粒排出ファンと、
一端部が研削式精穀処理部及び摩擦式精穀処理部に接続され、研削式精穀処理部及び摩擦式精穀処理部で発生した糠を除糠吸引風によって吸引除去するための除糠ダクトと、
この除糠ダクトに一端部が接続されると共に他端部に吸引用の集中配管から分岐された分岐配管が接続され、更に所定位置に外気と連通する二次空気取入口が形成された接続ダクトと、この接続ダクトの除糠ダクト側の端部から二次空気取入口までの所定位置に設けられ、除糠吸引風の風路を開閉可能な第１の開閉弁と、この第１の開閉弁を開閉させる第１の駆動手段と、前記二次空気取入口に設けられ、当該二次空気取入口を開閉可能な第２の開閉弁と、この第２の開閉弁を開閉させる第２の駆動手段と、を備えた除糠吸引風遮断装置と、
を含んで構成された精穀装置に適用される運転制御方法であって、
精穀処理終了時、検出センサによって原料タンクから原料が無くなったことが検出されると、シャッタを閉止すると共に揚穀装置の切換弁を循環路側に切換え精穀処理後の穀粒を原料タンクに貯める第１の工程と、
残粒排出ファンを作動させて研削精穀室内に残った残粒を摩擦精穀室へ送り込む第２の工程と、
シャッタを開放させて原料タンクに貯めた穀粒を研削精穀室を経由して摩擦精穀室へ送り込み、既に摩擦精穀室へ送り込まれた残粒を後から送り込まれた穀粒の押出しにより摩擦精穀する第３の工程と、
所定時間経過後に揚穀装置の切換弁を排出路側へ切換える第４の工程と、
検出センサによって原料タンクに貯めた穀粒が無くなったことが検出されると、シャッタを閉止すると共に摩擦精穀室の摩擦抵抗を開放して摩擦精穀室内の穀粒を排出手段から揚穀装置の入口部へ排出する第５の工程と、
残粒排出ファンを作動させて研削精穀室内の穀粒を摩擦精穀室へ送り込み、そのまま排出手段から揚穀装置の入口部へ排出する第６の工程と、
除糠吸引風遮断装置の第１の駆動手段を作動させて第１の開閉弁を閉止状態にすると共に、第２の駆動手段を作動させて第２の開閉弁を開放状態とする第７の工程と、
を有することを特徴とする精穀装置の運転制御方法。
【発明の詳細な説明】
【技術分野】
【０００１】
本発明は、米や麦といった穀粒を精穀処理するための精穀装置に適用される精穀装置用除糠吸引風遮断装置及びこれを用いた精穀装置並びにその運転制御方法に関する。
【背景技術】
【０００２】
精米装置には、精米処理方式によって、玄米相互間に作用する摩擦力によって玄米表面の糠層を除去する摩擦式精米装置と、精米ロールの表面に形設された多数の砥粒によって玄米表面の糠層を強制的に除去する研削式精米装置と、精米精度を向上させるべく最初に研削精米し続いて摩擦精米する研削・摩擦式精米装置とがある。なお、研削・摩擦式精米装置の先行技術文献としては、一例として、下記特許文献１がある。
【０００３】
ここで、前記特許文献１に開示された研削・摩擦式精米装置のクラスになると、単体で使用されることよりも、精米工場で多数並設されて複数台同時に使用されることが多い。この場合、精米処理中に玄米から取り除かれた糠を効率良く除去するべく、集中配管方式による除糠システム、即ち、吸引装置にメイン配管を接続し、このメイン配管から複数の配管を分岐させて当該分岐配管を個々の精米装置の除糠ダクトに接続し、各精米装置において精米処理した際に生じた糠を複数台同時に吸引除去するシステムが採用される。
【特許文献１】特許第３１４２９３８号公報
【発明の開示】
【発明が解決しようとする課題】
【０００４】
その場合、以下に説明する問題が生じる。
【０００５】
精米終了時、除糠吸引風による吸引力が精米装置に及んでいる状態では、除糠筒の内周面に米粒が張り付いたまま排出されない。かかる米粒は、精米装置を完全に停止したときに開閉弁又は排出盤上に落下して摩擦精米室に残粒することになる。この残粒をそのまま放置して、次の異品種の生産ロットの精米処理を開始すると、当該残粒が異品種に混入してしまう。かかる事態を回避するためには、除糠吸引風の通路となるダクトを遮断すればよいが、前記の如く集中配管方式による除糠システムを採用していると、幾つかの不都合が生じる。
【０００６】
すなわち、同時に稼働している複数の精米装置の内の任意の一台の精米装置についてだけ、除糠吸引風を止めるべく分岐配管を遮断すると、集中配管系のバランス（風量・風圧等）が崩れ、他の精米装置に作用する除糠吸引力が強くなる。このため、摩擦精米室内で搗精中の米粒が除糠筒の内周面側に強制吸引されて米粒同士の自由摩擦が阻害され、むら搗き状態になったり、米粒に亀裂が入ったり、分岐配管内の糠付着量が増える等の悪影響が出る可能性がある。
【０００７】
本発明は上記事実を考慮し、集中配管方式の除糠システムを採用した場合において、任意の一台の精穀装置に対する除糠吸引風を遮断したときに他の精穀装置に悪影響が出るのを防止することができる精穀装置用除糠吸引風遮断装置及びこれを用いた精穀装置並びにその運転制御方法を得ることが目的である。
【課題を解決するための手段】
【０００８】
請求項１記載の本発明に係る精穀装置用除糠吸引風遮断装置は、穀粒表面の糠層を取り除く精穀処理部と、この精穀処理部に一端部が接続されると共に吸引用の集中配管から分岐された分岐配管が他端部に接続され、吸引力によって吸い込まれた糠が通過する除糠ダクトと、を含んで構成された精穀装置に適用される除糠吸引風遮断装置であって、前記除糠ダクトと前記分岐配管との間に介在されて除糠ダクトと分岐配管とを接続すると共に、所定位置に外気と連通する二次空気取入口が形成された接続ダクトと、この接続ダクトの除糠ダクト側の端部から二次空気取入口までの所定位置に設けられ、除糠吸引風の風路を開閉可能な第１の開閉弁と、この第１の開閉弁を開閉させる第１の駆動手段と、前記二次空気取入口に設けられ、当該二次空気取入口を開閉可能な第２の開閉弁と、この第２の開閉弁を開閉させる第２の駆動手段と、を有することを特徴としている。
【０００９】
請求項２記載の本発明に係る精穀装置は、穀粒表面の糠層を取り除く精穀処理部と、この精穀処理部に一端部が接続されると共に吸引用の集中配管から分岐された分岐配管が他端部に接続され、吸引力によって吸い込まれた糠が通過する除糠ダクトと、を含んで構成された精穀装置であって、前記除糠ダクトに一端部が接続されると共に他端部に前記分岐配管が接続され、更に所定位置に外気と連通する二次空気取入口が形成された接続ダクトと、この接続ダクトの除糠ダクト側の端部から二次空気取入口までの所定位置に設けられ、除糠吸引風の風路を開閉可能な第１の開閉弁と、この第１の開閉弁を開閉させる第１の駆動手段と、前記二次空気取入口に設けられ、当該二次空気取入口を開閉可能な第２の開閉弁と、この第２の開閉弁を開閉させる第２の駆動手段と、を有する除糠吸引風遮断装置を備えている、ことを特徴としている。
【００１０】
請求項３記載の本発明に係る精穀装置の運転制御方法は、原料又は精穀処理後の穀粒が投入されると共に原料又は精穀処理後の穀粒の有無を検出する検出センサを備えた原料タンクと、この原料タンクの供給口を開閉するシャッタと、原料タンクから供給された原料を研削精穀する研削式精穀処理部と、この研削式精穀処理部で処理された穀粒を摩擦精穀する摩擦式精穀処理部と、この摩擦式精穀処理部で処理された穀粒を装置外へ排出する排出手段と、この排出手段から排出された精穀処理後の穀粒が入口部から投入されると共に揚穀し、切換弁により循環路を介して原料タンクへ循環させるか又は排出路を介して装置外の所定位置へ排出させるかを選択的に切換えられる揚穀装置と、研削式精穀処理部へ空気を送給し、研削精穀室内に残った残粒を摩擦精穀室へ強制的に送り込む残粒排出ファンと、一端部が研削式精穀処理部及び摩擦式精穀処理部に接続され、研削式精穀処理部及び摩擦式精穀処理部で発生した糠を除糠吸引風によって吸引除去するための除糠ダクトと、この除糠ダクトに一端部が接続されると共に他端部に吸引用の集中配管から分岐された分岐配管が接続され、更に所定位置に外気と連通する二次空気取入口が形成された接続ダクトと、この接続ダクトの除糠ダクト側の端部から二次空気取入口までの所定位置に設けられ、除糠吸引風の風路を開閉可能な第１の開閉弁と、この第１の開閉弁を開閉させる第１の駆動手段と、前記二次空気取入口に設けられ、当該二次空気取入口を開閉可能な第２の開閉弁と、この第２の開閉弁を開閉させる第２の駆動手段と、を備えた除糠吸引風遮断装置と、を含んで構成された精穀装置に適用される運転制御方法であって、精穀処理終了時、検出センサによって原料タンクから原料が無くなったことが検出されると、シャッタを閉止すると共に揚穀装置の切換弁を循環路側に切換え精穀処理後の穀粒を原料タンクに貯める第１の工程と、残粒排出ファンを作動させて研削精穀室内に残った残粒を摩擦精穀室へ送り込む第２の工程と、シャッタを開放させて原料タンクに貯めた穀粒を研削精穀室を経由して摩擦精穀室へ送り込み、既に摩擦精穀室へ送り込まれた残粒を後から送り込まれた穀粒の押出しにより摩擦精穀する第３の工程と、所定時間経過後に揚穀装置の切換弁を排出路側へ切換える第４の工程と、検出センサによって原料タンクに貯めた穀粒が無くなったことが検出されると、シャッタを閉止すると共に摩擦精穀室の摩擦抵抗を開放して摩擦精穀室内の穀粒を排出手段から揚穀装置の入口部へ排出する第５の工程と、残粒排出ファンを作動させて研削精穀室内の穀粒を摩擦精穀室へ送り込み、そのまま排出手段から揚穀装置の入口部へ排出する第６の工程と、除糠吸引風遮断装置の第１の駆動手段を作動させて第１の開閉弁を閉止状態にすると共に、第２の駆動手段を作動させて第２の開閉弁を開放状態とする第７の工程と、を有することを特徴としている。
【００１１】
請求項１記載の本発明の作用は、以下の通りである。
【００１２】
従来であれば、精穀装置の除糠ダクトの他端部には、吸引用の集中配管から分岐された分岐配管が直接接続される。なおこの場合、精穀処理部で精穀処理されることにより、穀粒表面の糠層が取り除かれる。そして、取り除かれた糠は、除糠吸引風によって除糠ダクトから分岐配管に吸い込まれ、更に集中配管へと吸引された後、装置外へ排出される。
【００１３】
ここで、本発明の場合、除糠ダクトと分岐配管との間に精穀装置用除糠吸引風遮断装置が接続される。精穀装置を通常運転する場合には、第１開閉弁は開放され、第２開閉弁は閉止される。従って、接続ダクトの風路は開放される一方、二次空気取入口は閉止された状態となる。この場合、精穀処理によって生じた糠は、除糠吸引風によって除糠ダクト及び接続ダクトを通って分岐配管から集中配管へと吸引された後、装置外へ排出される。
【００１４】
一方、精穀処理終了時には、第１の駆動手段を駆動させることにより第１の開閉弁が閉止される。これにより、精穀処理部に吸引力が及ぶのを遮断することができる。また、第２の駆動手段を駆動させることにより第２の開閉弁が開放される。これにより、二次空気取入口が開放され、外気の取り入れが可能となる。
【００１５】
このようにすれば、除糠吸引風の吸引力によって穀粒が精穀処理部に張り付き、残粒が発生するのを防止することができる。従って、次の生産ロットの精穀開始時に当該残粒が異品種に混入するおそれも無くなる。よって、品質が確保される。また、集中配管方式による除糠システム下において、任意の一台の精穀装置に対する除糠吸引風を遮断しても、二次空気取入口から外気が吸い込まれるので、残りの精穀装置の精穀処理部に作用する吸引力が変動し、集中配管系のバランス（風量・風圧等）が崩れ除糠作用に悪影響が及ぶこともない。
【００１６】
請求項２記載の本発明によれば、精穀装置を通常運転する場合には、除糠吸引風遮断装置の第１開閉弁は開放され、第２開閉弁は閉止される。従って、接続ダクトの風路は開放される一方、二次空気取入口は閉止された状態となる。この状態で精穀装置を通常通り運転すると、精穀処理部で精穀処理されることにより、穀粒表面の糠層が取り除かれる。取り除かれた糠は、除糠吸引風によって除糠ダクト及び接続ダクトを通って分岐配管から集中配管へと吸引された後、装置外へ排出される。
【００１７】
一方、精穀処理終了時には、第１の駆動手段を駆動させることにより第１の開閉弁が閉止される。これにより、精穀処理部に吸引力が及ぶのを遮断することができる。また、第２の駆動手段を駆動させることにより第２の開閉弁が開放される。これにより、二次空気取入口が開放され、外気の取り入れが可能となる。
【００１８】
このようにすれば、除糠吸引風の吸引力によって穀粒が精穀処理部に張り付き、残粒が発生するのを防止することができる。従って、次の生産ロットの精穀開始時に当該残粒が異品種に混入するおそれも無くなる。よって、品質が確保される。また、集中配管方式による除糠システム下において、任意の一台の精穀装置に対する除糠吸引風を遮断しても、二次空気取入口から外気が吸い込まれるので、残りの精穀装置の精穀処理部に作用する吸引力が変動し、集中配管系のバランス（風量・風圧等）が崩れ除糠作用に悪影響が及ぶこともない。
【００１９】
請求項３記載の本発明によれば、精穀処理終了時、第１の工程で、検出センサによって原料タンクから原料が無くなったことが検出されると、シャッタが閉止されると共に揚穀装置の切換弁が循環路側に切換えられる。これにより、精穀処理後の穀粒が原料タンクに貯められる。
【００２０】
次に第２の工程で、残粒排出ファンが作動されて研削精穀室内に残った残粒が摩擦精穀室へ送り込まれる。次に第３の工程で、シャッタが開放されて原料タンクに貯められた穀粒が研削精穀室を経由して摩擦精穀室へ送り込まれる。これにより、既に摩擦精穀室へ送り込まれた残粒が後から送り込まれた穀粒の押出しによって摩擦精穀される。
【００２１】
次に第４の工程で、所定時間経過後に揚穀装置の切換弁が排出路側へ切換えられる。次に第５の工程で、検出センサによって原料タンクに貯められた穀粒が無くなったことが検出されると、シャッタが閉止されると共に摩擦精穀室の摩擦抵抗が開放されて摩擦精穀室内の穀粒が排出手段から揚穀装置の入口部へ排出される。なお、揚穀装置の入口部へ排出された穀粒は、揚穀装置で揚穀された後、排出路から所定位置に排出される。
【００２２】
次に第６の工程で、残粒排出ファンが作動されて研削精穀室内の穀粒が摩擦精穀室へ送り込まれ、そのまま排出手段から揚穀装置の入口部へ排出される。なお、この工程で揚穀装置の入口部へ排出された穀粒も、揚穀装置で揚穀された後、排出路から所定位置に排出される。
【００２３】
次に第７の工程で、除糠吸引風遮断装置の第１の駆動手段が作動されて第１の開閉弁が閉止状態にされる。これにより、精穀処理部に吸引力が及ぶのを遮断することができる。また、除糠吸引風が遮断されたことにより摩擦式精米処理部に吸引力が及ばなくなるので、摩擦精穀室に張り付いていた少量の最後の穀粒が落下し、排出手段によって揚穀装置の入口部へ排出される。また第１の開閉弁が閉止されるのと同時に、第２の駆動手段が作動されて第２の開閉弁が開放状態とされる。これにより、二次空気取入口が開放され、外気の取り入れが可能となる。
【００２４】
このようにすれば、除糠吸引風の吸引力によって穀粒が精穀処理部に張り付き、残粒が発生するのを防止することができる。従って、次の生産ロットの精穀開始時に当該残粒が異品種に混入するおそれも無くなる。よって、品質が確保される。また、集中配管方式による除糠システム下において、任意の一台の精穀装置に対する除糠吸引風を遮断しても、二次空気取入口から外気が吸い込まれるので、残りの精穀装置の精穀処理部に作用する吸引力が変動し、集中配管系のバランス（風量・風圧等）が崩れ除糠作用に悪影響が及ぶこともない。
【発明の効果】
【００２５】
以上説明したように、請求項１記載の本発明に係る精穀装置用除糠吸引風遮断装置は、除糠ダクトと分岐配管との間に介在されて除糠ダクトと分岐配管とを接続すると共に、所定位置に外気と連通する二次空気取入口が形成された接続ダクトと、この接続ダクトの除糠ダクト側の端部から二次空気取入口までの所定位置に設けられ、除糠吸引風の風路を開閉可能な第１の開閉弁と、この第１の開閉弁を開閉させる第１の駆動手段と、二次空気取入口に設けられ、当該二次空気取入口を開閉可能な第２の開閉弁と、この第２の開閉弁を開閉させる第２の駆動手段と、を有するので、集中配管方式の除糠システムを採用した場合において、任意の一台の精穀装置に対する除糠吸引風を遮断したときに他の精穀装置に悪影響が出るのを防止することができるという優れた効果を有する。
【００２６】
請求項２記載の本発明に係る精穀装置は、除糠ダクトに一端部が接続されると共に他端部に分岐配管が接続され、更に所定位置に外気と連通する二次空気取入口が形成された接続ダクトと、この接続ダクトの除糠ダクト側の端部から二次空気取入口までの所定位置に設けられ、除糠吸引風の風路を開閉可能な第１の開閉弁と、この第１の開閉弁を開閉させる第１の駆動手段と、二次空気取入口に設けられ、当該二次空気取入口を開閉可能な第２の開閉弁と、この第２の開閉弁を開閉させる第２の駆動手段と、を有する除糠吸引風遮断装置を備えているので、集中配管方式の除糠システムを採用した場合において、任意の一台の精穀装置に対する除糠吸引風を遮断したときに他の精穀装置に悪影響が出るのを防止することができるという優れた効果を有する。
【００２７】
請求項３記載の本発明に係る精穀装置の運転制御方法は、精穀処理終了時、検出センサによって原料タンクから原料が無くなったことが検出されると、シャッタを閉止すると共に揚穀装置の切換弁を循環路側に切換え精穀処理後の穀粒を原料タンクに貯める第１の工程と、残粒排出ファンを作動させて研削精穀室内に残った残粒を摩擦精穀室へ送り込む第２の工程と、シャッタを開放させて原料タンクに貯めた穀粒を研削精穀室を経由して摩擦精穀室へ送り込み、既に摩擦精穀室へ送り込まれた残粒を後から送り込まれた穀粒の押出しにより摩擦精穀する第３の工程と、所定時間経過後に揚穀装置の切換弁を排出路側へ切換える第４の工程と、検出センサによって原料タンクに貯めた穀粒が無くなったことが検出されると、シャッタを閉止すると共に摩擦精穀室の摩擦抵抗を開放して摩擦精穀室内の穀粒を排出手段から揚穀装置の入口部へ排出する第５の工程と、残粒排出ファンを作動させて研削精穀室内の穀粒を摩擦精穀室へ送り込み、そのまま排出手段から揚穀装置の入口部へ排出する第６の工程と、除糠吸引風遮断装置の第１の駆動手段を作動させて第１の開閉弁を閉止状態にすると共に、第２の駆動手段を作動させて第２の開閉弁を開放状態とする第７の工程と、を有するので、集中配管方式の除糠システムを採用した場合において、任意の一台の精穀装置に対する除糠吸引風を遮断したときに他の精穀装置に悪影響が出るのを防止することができるという優れた効果を有する。
【発明を実施するための最良の形態】
【００２８】
以下、図１〜図６を用いて、本発明の一実施形態に係る精穀装置としての竪型精米装置１０について説明する。
【００２９】
図１には、本実施形態に係る竪型精米装置１０の全体構成が縦断面視にて示されている。この図に示されるように、竪型精米装置１０の装置中央部には、内部中空とされかつ所定位置に複数のエア噴出口が形成された回転主軸１２が立設されている。回転主軸１２は、装置下部に配設された下部支持板１４に支持ベアリング１６を介して回転自在に支持されている。また、回転主軸１２の下端部には従動プーリ１８が固着されており、これに対応して従動プーリ１８と横方向に対向する位置には図示しない駆動プーリが配設されている。従動プーリ１８と駆動プーリは図示しないベルトによって相互に連結されており、図示しない操作盤と接続された回転主軸駆動モータが駆動することにより駆動プーリ及び従動プーリ１８を介して回転主軸１２がその軸線回りに回転する構成である。さらに、回転主軸１２の下端部にはエア送給管２０が接続されており、回転主軸１２内へエアを送給できるようになっている。
【００３０】
上記回転主軸１２の上端部には、外周部に螺条が形成された送穀ロール２２が同軸上に取り付けられている。従って、回転主軸１２が回転すると、送穀ロール２２も一体に回転する構成である。
【００３１】
上記送穀ロール２２の外周側には、精穀処理部としての研削式精米処理部２４が配設されている。研削式精米処理部２４は、送穀ロール２２の外周側に同心円上に配置された略円筒形状の回転体２６と、この回転体２６の上段側の外周部に固定されて回転体２６と一体に回転する研削式精米ロール２８と、研削式精米ロール２８の外周側に固定状態で配置されると共に打抜き多孔板によって円筒形状に形成された除糠筒３０と、研削式精米ロール２８の外周面と除糠筒３０との間に形成された研削精米室３２と、除糠筒３０の外周側に形成され研削精米室３２で研削精米された際に生じた糠層（糠粉）が除糠筒３０を介して排出される糠室３４と、を含んで構成されている。
【００３２】
より具体的に説明すると、回転体２６の軸芯部には、上部がすり鉢状とされかつ下部が円柱状とされた送穀ロール受入れ部３６が形成されている。送穀ロール２２は、この送穀ロール受入れ部３６内に挿入された状態でかつ非接触の状態で配置されている。また、回転体２６の上端部の外周には環状の凹部３８が形成されており、かかる凹部３８内に略Ｔ字形断面の研削式精米ロール２８が取り付けられている。研削式精米ロール２８の表面には、炭化珪素等（超硬質粒）から成る多数の砥粒が形設されている。さらに、回転体２６の下端部の外周には従動プーリ４０が形成されており、これに対応して従動プーリ４０と横方向に対向する位置には図示しない駆動プーリが配設されている。従動プーリ４０と駆動プーリはベルトで相互に連結されており、図示しない操作盤と接続された研削ロール駆動モータが駆動することにより駆動プーリ及び従動プーリ４０を介して研削式精米ロール２８がその軸線回りに回転する構成である。
【００３３】
なお、図１では回転体２６及び従動プーリ４０を一部品で簡略的に図示しているが、実際には、当該部分は、送穀ロール受入れ部３６の形状に沿った略円筒形状に形成されかつ装置上段側に配置された上部支持板４２に回転不能に固定される送穀筒と、この送穀筒の外周側に上下一対のベアリングを介して回転自在に支持される略円筒形状の回転筒と、この回転筒の外周下端部に固定された従動プーリ４０と、から成る。
【００３４】
上記研削式精米処理部２４の側方には、原料供給部４４が配設されている。原料供給部４４は、原料が投入される漏斗状の原料タンク４６と、この原料タンク４６の下端部から下方へ延在する円筒形状の原料供給筒４８と、この原料供給筒４８の軸芯部に回転可能に配置された下方送りスクリュー５０と、原料タンク４６の側方から原料供給筒４８の上端部へかけて並設された送風ダクト５２と、この送風ダクト５２内に配設された残粒排出ファン５４と、を含んで構成されている。
【００３５】
補足すると、原料タンク４６の壁面の所定位置には、タンク内の原料の有無を検出するための検出センサとしての原料センサ５６が配設されている。さらに、原料タンク４６の下端部の開口部分には、当該開口部分を開閉するシャッタ５８がスライド可能に配設されている。また、下方送りスクリュー５０はシャフト５０Ａの下端部近傍のみが回転自在に軸支されており、シャフト５０Ａの上端部は自由端とされている。さらに、シャフト５０Ａの下端部は原料供給筒４８の底壁部を貫通しており、当該貫通端部には従動プーリ６０が固着されている。これに対応して従動プーリ６０と横方向に対向する位置には図示しない駆動プーリが配設されており、両者はベルトによって相互に連結されている。従って、図示しない操作盤と接続された下方送りスクリュー駆動モータが駆動することにより、駆動プーリ及び従動プーリ６０を介して下方送りスクリュー５０がその軸線回りに回転する構成である。
【００３６】
なお、下方送りスクリュー５０のシャフト５０Ａには、供給口６２に臨む位置に円錐台形状の底盤６４が固定されており、下方送りスクリュー５０から送給されてきた原料を供給口６２内へ効果的に送り込むようになっている。また、送風ダクト５２の下端部は、原料供給筒４８の上端部に送風口６６を介して連通されている。従って、残粒排出ファン５４が作動すると、送風ダクト５２から送風口６６を通って原料供給筒４８の上端部内へ送風される構成である。
【００３７】
一方、堅型精米装置１０の中段部には、精穀処理部としての摩擦式精米処理部６８が配設されている。摩擦式精米処理部６８は、回転主軸１２の中段部（送穀ロール２２の直下）に固定された摩擦式精米ロール７０と、この摩擦式精米ロール７０の外周側に固定状態で配置されると共に打抜き多孔板によって円筒形状に形成された除糠筒７２と、摩擦式精米ロール７０の外周面と除糠筒７２との間に形成された摩擦精米室７４と、除糠筒７２の外周側に形成されて摩擦精米室７４で摩擦精米された際に生じた糠層（糠粉）が除糠筒７２を介して排出される糠室７６と、を含んで構成されている。
【００３８】
上述した摩擦式精米処理部６８の下方には、排出手段としての排出処理部７８が設けられている。排出処理部７８は、有底円筒状の排出ケース８０を備えている。排出ケース８０の上端部は、装置高さ方向の中間部に配設された中間部支持板８２に固定されている。この排出ケース８０内には、回転主軸１２に固定されかつ回転主軸１２と一体に回転する排出盤８４が収容されている。排出盤８４は、排出ケース８０の底部に近接して配置された皿状の大径部８４Ａと、この大径部８４Ａの上端部から一体かつ上方へ延出された円筒状の本体部８４Ｂと、を含んで構成されている。
【００３９】
排出盤８４の本体部８４Ｂには、摩擦精米室７４の下端部開口を開閉する皿状の開閉弁８６が上下動可能に支持されている。なお、開閉弁８６の基部８６Ａには、支点回りに揺動可能に支持された図示しない支持アームの先端部が相対回転可能に取り付けられている。支持アームの基端部には精米抵抗調節スプリング及びラック＆ピニオン方式の駆動機構部が配設されており、モータの駆動量に応じて支持アームを介して開閉弁８６が上下動される構成である。また、排出ケース８０の一側部には、滑り台状に傾斜された排出樋８８の上端部が接続されている。これにより、排出ケース８０内へ排出された米が排出樋８８を介して装置外部へ排出される構成である。
【００４０】
また、上述した摩擦式精米処理部６８の糠室７６には、水平方向に延在する除糠ダクト９０の一端部が接続されている。また、研削式精米処理部２４の糠室３４には、除糠ダクト９０から分岐された除糠ダクトとしての除糠分岐ダクト９２の一端部が接続されている。さらに、除糠ダクト９０の他端部には、次述する除糠吸引風遮断装置９４を介して図示しない吸引用の集中配管から分岐された分岐管が接続されるようになっている。
【００４１】
ここで、上記除糠ダクト９０の他端部と図示しない前記分岐管との間には、精穀装置用除糠吸引風遮断装置としての除糠吸引風遮断装置９４が配設されている。詳細に説明すると、除糠吸引風遮断装置９４は、除糠ダクト９０の他端部と前記分岐管の先端部との間に介在されて両者を接続する接続ダクト９６と、この接続ダクト９６の一端部側（除糠ダクト９０の他端部との接続部位）に配置されかつ上下方向へスライド可能に支持された第１の開閉弁としての吸引遮断板９８と、この吸引遮断板９８の下端部に固定されかつ作動することにより吸引遮断板９８を上下方向へスライドさせる第１の駆動装置（エアシリンダ）１００と、接続ダクト９６の他端部側の下面に形成された二次空気取入口１０２に配置されかつ水平方向へスライド可能に支持された第２の開閉弁としての二次空気遮断板１０４と、この二次空気遮断板１０４の外側の端部に固定されかつ作動することにより二次空気遮断板１０４を左右方向へスライドさせる第２の駆動装置（エアシリンダ）１０６と、を含んで構成されている。
【００４２】
なお、吸引遮断板９８及び二次空気遮断板１０４が開閉するためのスライド方向は、竪型精米装置１０の設置場所や接続ダクト９６の取付方向により適宜変更される。また、二次空気取入口１０２の形状及び寸法は、吸引遮断板９８が開放状態で二次空気遮断板１０４が閉止状態の場合と、吸引遮断板９８が閉止状態で二次空気遮断板１０４が開放状態の場合とで、接続ダクト９６の後端側（分岐配管側）での風量・圧力等の条件が略等しくなるように決められている。
【００４３】
補足すると、図２に示されるように、上記竪型精米装置１０に隣接する位置には、揚穀装置１１０が立設されている。揚穀装置１１０は下端部に入口部１１２が配設されており、排出樋８８から排出された米粒が入口部１１２から投入されるようになっている。揚穀装置１１０内にはバケットコンベヤ等の揚穀手段が配設されており、更に上端部には原料タンク４６へ再投入するための循環路１１４及び装置外の所定位置へ排出するための排出路１１６が設けられている。さらに、循環路１１４と排出路１１６との分岐点には、流路方向を切り換えるための切換弁１１８が配設されている。
【００４４】
次に、本実施形態の作用並びに効果について説明する。
【００４５】
最初に、装置全体の作動について概説する。
【００４６】
操作盤を操作することにより、図示しない各種駆動モータが駆動される。これにより、回転主軸１２にあっては、従動プーリ１８を介して駆動力が伝達され、その軸線回りに回転される。このため、回転主軸１２と一体の送穀ロール２２、摩擦式精米ロール７０、排出盤８４が回転主軸１２と同一方向へ回転される。また、研削式精米ロール２８にあっては、従動プーリ４０及び回転体２６を介して駆動力が伝達され、その軸線回りに回転される。さらに、下方送りスクリュー５０にあっては、従動プーリ６０を介して駆動力が伝達され、その軸線回りに回転される。
【００４７】
加えて、除糠吸引風遮断装置９４が開放状態とされる。すなわち、吸引遮断板９８が開放位置に保持されると共に二次空気遮断板１０４は閉止状態に保持される。これにより、除糠ダクト９０の通路は開放状態とされ、図示しない吸引手段による吸引力が集中配管、分岐配管、接続ダクト９６、除糠ダクト９０、除糠分岐ダクト９２を介して糠室３４、７６に及ぶ状態（除糠吸引風が通過可能な状態）とされる。また、二次空気取入口１０２は閉止状態とされる。
【００４８】
この状態で、原料（玄米）が原料タンク４６内へ投入される。投入された原料は原料供給筒４８内へ流下され、下方送りスクリュー５０によって下方側へ所定の搬送速度で搬送されていく。原料が下方送りスクリュー５０の下端部まで搬送されると、底盤６４の回転力によって、原料は供給口６２から研削精米室３２の下端部へ供給される。そして、研削精米室３２内を下方から上方へ押し上げられる上昇式精米装置の形をとりながら、この過程で研削式精米ロール２８によって研削精米される。
【００４９】
研削精米処理後の半搗精米は、回転体２６に形成されたすり鉢状の送穀ロール受入れ部３６内へ流下され、送穀ロール２２によって軸方向下方側へと搬送された後、摩擦精米室７４内へ送り込まれる。この摩擦精米室７４では、摩擦式精米ロール７０が回転することにより、半搗精米同士が擦れ合い、その摩擦力によって最終的な精米処理がなされる。
【００５０】
摩擦精米処理されて出来上がった製品としての白米は、開閉弁８６を通って排出ケース８０内で回転する排出盤８４上へ落下される。そして、排出盤８４の回転力によって排出樋８８から装置外部へと排出されていく。
【００５１】
上記の精米処理過程で発生した糠は、除糠ダクト９０から装置外部へと排出される。すなわち、研削式精米処理時に発生した糠は除糠筒３０から糠室３４へと排出された後、除糠分岐ダクト９２を通って除糠ダクト９０へ吸い込まれる。一方、摩擦式精米処理時に発生した糠は除糠筒７２から糠室７６へと排出された後、除糠ダクト９０へ直接吸い込まれる。そして、双方の糠が合流した状態で除糠ダクト９０から分岐配管を経て集中配管へと吸引され、装置外部へと排出される。
【００５２】
ここで、上述した精米処理を行うと、発明が解決しようとする課題の欄で説明したように、精米処理終了時に、処理すべき米粒が少量になり、上から連続して流下する米粒が無くなるため、吸引力により除糠筒７２の内周面に米粒が張り付いたまま排出されないことがある。この場合、除糠筒７２の内周面に張り付いた米粒は、堅型精米装置１０が完全に停止して除糠吸引風が無くなると、開閉弁８６又は排出盤８４上に落下して残粒してしまうという現象が生じる。
【００５３】
そこで、本実施形態では、精米処理終了時になると、以下の要領で、堅型精米装置１０を運転する（精米装置の運転制御方法）。
【００５４】
まず、図３に示されるように、原料タンク４６内の原料が無くなると、原料センサ５６によってその状態が検出され、所定時間（Ｔ１）経過後にシャッタ５８が閉止される。なお、原料タンク４６内の原料が無くなり送穀ロール２２にラップする玄米が無くなった時点で、下向きの米の圧力が無くなるため、開閉弁８６が摩擦抵抗ばねの付勢力で上昇し、摩擦精米室７４の下端部の隙間がなくなる。そのため、摩擦精米室７４内の米は排出されず、白米Ｒと玄米Ｑが混合した状態で満たされている。また、シャッタ５８の閉止動作と同時に、揚穀装置１１０の切換弁１１８が循環路１１４側へ切り換えられる。これにより、精米処理後の白米Ｐが原料タンク４６内へ再投入されて原料タンク４６内に貯められる（以上、第１の工程）。
【００５５】
次に、所定時間（Ｔ２）、残粒排出ファン５４が作動される。これにより、原料供給筒４８から風が送給され（その流れを矢印Ａで示す）、研削精米室３２内に残留している残粒（玄米）Ｑが摩擦精米室７４へ送り込まれる（その流れを矢印Ｂで示す）。なお、このときの精米抵抗は最初の主運転のときの抵抗値がそのまま維持される（以上、第２の工程）。
【００５６】
次に、図４に示されるように、所定時間（Ｔ３）経過後、シャッタ５８が開放されて、原料タンク４６内に貯められていた白米Ｐを装置内に流し、通常の精米処理を行う（その流れを矢印Ｃで示す）。これにより、研削精米室３２から摩擦精米室７４へ排出された残粒Ｑ（玄米）を原料タンク４６に戻した白米Ｐで押出しながら摩擦精米する（以上、第３の工程）。
【００５７】
次に、所定時間（Ｔ４）経過後、揚穀装置１１０の切換弁１１８が循環路１１４側から排出路１１６側へ切り換えられる。なお、原料タンク４６に貯めた白米Ｐの押出しにより摩擦精米室７４の玄米Ｑが摩擦精米されて白米となり、揚穀装置１１０の切換弁１１８の直前まで搬送された時点までの所要時間をＴ４とした場合が、精米処理終了の最短コース（時間）となる。それ以上Ｔ４が長いと同じ米が竪型精米装置１０を何回も循環することになるが、Ｔ４をどの程度にするかは、使用者の考えや製品の目的に応じて適宜変更される（以上、第４の工程）。
【００５８】
次に、図５に示されるように、原料センサ５６によって原料タンク４６内の白米が無くなったことが検出されたら、所定時間（Ｔ５）経過後にシャッタ５８が閉止され、次のロットの玄米を貯める準備が整えられる。シャッタ５８が閉止されるのと同時に、開閉弁８６が下方へスライドされて摩擦抵抗が解放される。これにより、摩擦精米室７４内に残った白米が排出盤８４上に排出された後、排出樋８８から揚穀装置１１０の入口部１１２へ排出される（以上、第５の工程）。
【００５９】
またこれと同時に、所定時間（Ｔ６）、図３のときと同様にして、残粒排出ファン５４を作動させて、原料供給筒４８から風を送り（その流れを矢印Ｄで示す）、研削精米室３２内に残った残粒Ｓ（白米）を摩擦精米室７４へ送り込み（その流れを矢印Ｅで示す）、排出樋８８から揚穀装置１１０の入口部１１２へ排出させる（以上、第６の工程）。
【００６０】
次に、図６に示されるように、残粒排出ファン５４を停止させ、同時に、第１の駆動装置１００を駆動させて吸引遮断板９８を閉止させて除糠ダクト９０の風路を塞ぐと共に、第２の駆動装置１０６を駆動させて二次空気遮断板１０４を開放させ二次空気取入口１０２から二次空気の取入れが可能な状態にする。吸引遮断板９８が閉止されると除糠吸引風の吸引力が及ばなくなり、二次空気取入口１０２から二次空気が吸引される状態となるため、摩擦精米室７４の除糠筒７２の内周面に張り付いていた白米Ｔは排出盤８４上に自由落下し、排出樋８８から揚穀装置１１０の入口部１１２へ排出される（その流れを矢印Ｆで示す）。こうしてすべての残粒が無くなる。その後、堅型精米装置１０全体を停止させる（以上、第７の工程）。
【００６１】
このように本実施形態に係る堅型精米装置１０では、除糠ダクト９０と集中配管方式の分岐配管との間に除糠吸引風遮断装置９４を接続し、精米処理終了時には吸引遮断板９８を閉止して二次空気遮断板１０４を開放させるようにしたので、摩擦精米室７４に吸引力が及ぶのを遮断することができる。このため、除糠吸引風の吸引力によって除糠筒７２の内周面に米粒が張り付き、残粒が発生するのを防止することができる。従って、次の生産ロットの精米開始時に当該残粒が異品種に混入するおそれも無くなる。その結果、本実施形態に係る堅型精米装置１０によれば、製品の品質の確保を図ることができる。
【００６２】
また、集中配管方式による除糠システム下において、任意の一台の竪型精米装置１０に対する除糠吸引風を遮断しても、二次空気取入口１０２から外気が吸い込まれるので、残りの竪型精米装置の精米処理部に作用する吸引力が変動して集中配管系のバランス（風量・風圧等）が崩れて除糠作用に悪影響が及ぶといったことも生じない。
【００６３】
すなわち、このクラスの精米装置は精米工場で複数台同時に稼働させ、除糠用吸引風配管はメイン配管となる集中配管から配管を分岐させ、当該分岐配管を個々の精米装置に接続させる集中配管方式とすることが多い。このため、任意の一台の堅型精米装置１０について吸引遮断板９８のみを作動させると、残りの堅型精米装置１０の精米処理部に作用する吸引力が変動し、集中配管系のバランス（風量・風圧等）が崩れ除糠作用に悪影響（例えば、摩擦精米室７４内で搗精中の米粒が除糠筒７２の内周面側に強制吸引されて米粒同士の自由摩擦が阻害され、むら搗き状態になったり、米粒に亀裂が入ったり、分岐配管内の糠付着量が増える等）が出る可能性がある。
【００６４】
しかし、本実施形態によれば、精米終了時には二次空気遮断板１０４を開放させて二次空気取入口１０２を開放させることにより、除糠吸引風の吸引力が接続ダクト９６に及んでも接続ダクト９０の二次空気取入口１０２から二次空気（外気）が取り入れられることとなる。このため、他の堅型精米装置１０の除糠作用に上記悪影響が及ぶことはない。また、上記効果が得られることにより、吸引力を起こさせる吸引装置をその都度停止させる必要もなくなる。
【００６５】
さらに、本実施形態のように堅型精米装置１０に循環路１１４と排出路１１６との切換えが可能な揚穀装置１１０を組み合わせて前述した運転制御を行うことにより、生産ロット全量を確実に精米処理することができ、精米ロスを無くすことができる。
【００６６】
なお、本実施形態では、米を対象にして本発明を適用したが、これに限らず、麦を対象にして本発明を適用してもよい。
【００６７】
また、本実施形態では、堅型精米装置１０を対象にして本発明を適用したが、これに限らず、横型精米装置を対象にして本発明を適用してもよい。
【００６８】
さらに、本実施形態では、研削式精米処理部２４と摩擦式精米処理部６８の双方を兼ね備えた堅型精米装置１０に対して本発明を適用したが、これに限らず、いずれか一方のみを備えた精米装置に対して本発明を適用してもよい。
【００６９】
また、除糠吸引風遮断装置９４の開閉弁を吸引遮断板９８、二次空気遮断板１０４といった板材で構成したが、板材以外の構成を採用してもよく、又第１の駆動装置１００及び第２の駆動装置１０６をエアシリンダで構成したが、エアシリンダ以外にも油圧シリンダやモータ及びラック＆ピニオン機構等を採用してもよい。
【００７０】
さらに、本実施形態では、吸引遮断板９８及び二次空気遮断板１０４を第１の駆動装置１００及び第２の駆動装置１０６を使って自動的に開閉する構成を採ったが、これに限らず、手動式で開閉するようにしてもよい。
【００７１】
また、本実施形態では、除糠吸引風遮断装置９４を精米装置に用いたが、研米装置や石抜機、選別機等、集中配管に接続される機器であれば、本発明の除糠吸引風遮断装置を適用することは可能であることを付記しておく。
【図面の簡単な説明】
【００７２】
【図１】本実施形態に係る堅型精米装置の全体構成を示す概略縦断面図である。
【図２】本実施形態に係る竪型精米装置に揚穀装置が並設された状態を示す概略図である。
【図３】図１に示される堅型精米装置の精米終了時の運転制御方法を示す作動説明図である。
【図４】同じく、図１に示される堅型精米装置の精米終了時の運転制御方法を示す作動説明図である。
【図５】同じく、図１に示される堅型精米装置の精米終了時の運転制御方法を示す作動説明図である。
【図６】同じく、図１に示される堅型精米装置の精米終了時の運転制御方法を示す作動説明図である。
【符号の説明】
【００７３】
１０    竪形精米装置（精穀装置）
２４    研削式精米処理部（精穀処理部）
３０    除糠筒
３２    研削精米室
４６    原料タンク
５４    残粒排出ファン
５６    原料センサ（検出センサ）
５８    シャッタ
６８    摩擦式精米処理部（精穀処理部）
７２    除糠筒
７４    摩擦精米室
７８    排出処理部（排出手段）
９０    除糠ダクト
９２    除糠分岐ダクト（除糠ダクト）
９４    除糠吸引風遮断装置
９６    接続ダクト
９８    吸引遮断板（第１の開閉弁）
１００  第１の駆動装置（第１の駆動手段）
１０２  二次空気取入口
１０４  二次空気遮断板（第２の開閉弁）
１０６  第２の駆動装置（第２の駆動手段）
１１０  揚穀装置
１１２  入口部
１１４  循環路
１１６  排出路
１１８  切換弁
【図１】
2005144401.tif 000003
【図２】
2005144401.tif 000004
【図３】
2005144401.tif 000005
【図４】
2005144401.tif 000006
【図５】
2005144401.tif 000007
【図６】
2005144401.tif 000008